【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
トナー像が表面に形成される複数の像担持体と、
前記複数の像担持体に対向し、前記複数の像担持体のトナー像が転写される転写面を有する無端状のベルト部材と、
前記転写面に対向し、前記転写面に転写されたトナー像の濃度を検知可能な第１検知手段と、
前記第１検知手段の検知結果を前記ベルト部材の１周分に亘るプロファイルとして記憶する記憶手段と、
前記ベルト部材の周方向の位置である周方向位置を示す複数の位置マークと、
前記ベルト部材に対向し、前記位置マークを検知可能な第２検知手段と、
前記第２検知手段の検知結果に基づいて前記ベルト部材の前記周方向位置を算出する算出手段と、
前記記憶手段が記憶した前記プロファイル、及び、前記算出手段が算出した前記周方向位置に基づいて、前記複数の像担持体に形成するトナー像の条件を変更する変更手段と、を備え、
前記位置マークの各々の形状が、前記ベルト部材の周方向の寸法が互いに異なることによって前記周方向位置の各々で互いに異なり、前記ベルト部材の前記周方向位置が識別可能であることを特徴とする画像形成装置。
【請求項２】
トナー像が表面に形成される複数の像担持体と、
前記複数の像担持体に対向し、前記複数の像担持体のトナー像が転写される転写面を有する無端状のベルト部材と、
前記転写面に対向し、前記転写面に転写されたトナー像の濃度を検知可能な第１検知手段と、
前記第１検知手段の検知結果を前記ベルト部材の１周分に亘るプロファイルとして記憶する記憶手段と、
前記ベルト部材の周方向の位置である周方向位置を示す複数の位置マークと、
前記ベルト部材に対向し、前記位置マークを検知可能な第２検知手段と、
前記第２検知手段の検知結果に基づいて前記ベルト部材の前記周方向位置を算出する算出手段と、
前記記憶手段が記憶した前記プロファイル、及び、前記算出手段が算出した前記周方向位置に基づいて、前記複数の像担持体に形成するトナー像の条件を変更する変更手段と、を備え、
前記位置マークの各々の形状が、前記ベルト部材の幅方向の寸法が互いに異なることによって前記周方向位置の各々で互いに異なり、前記ベルト部材の前記周方向位置が識別可能であることを特徴とする画像形成装置。
【手続補正２】
【補正対象書類名】明細書
【補正対象項目名】００１１
【補正方法】変更
【補正の内容】
【００１１】
上記課題を解決するための、本発明の画像形成装置は、トナー像が表面に形成される複数の像担持体と、前記複数の像担持体に対向し、前記複数の像担持体のトナー像が転写される転写面を有する無端状のベルト部材と、前記転写面に対向し、前記転写面に転写されたトナー像の濃度を検知可能な第１検知手段と、前記第１検知手段の検知結果を前記ベルト部材の１周分に亘るプロファイルとして記憶する記憶手段と、前記ベルト部材の周方向の位置である周方向位置を示す複数の位置マークと、前記ベルト部材に対向し、前記位置マークを検知可能な第２検知手段と、前記第２検知手段の検知結果に基づいて前記ベルト部材の前記周方向位置を算出する算出手段と、前記記憶手段が記憶した前記プロファイル、及び、前記算出手段が算出した前記周方向位置に基づいて、前記複数の像担持体に形成するトナー像の条件を変更する変更手段と、を備え、前記位置マークの各々の形状が、前記ベルト部材の周方向の寸法が互いに異なることによって前記周方向位置の各々で互いに異なり、前記ベルト部材の前記周方向位置が識別可能であることを特徴とする。
本発明の他の画像形成装置は、トナー像が表面に形成される複数の像担持体と、前記複数の像担持体に対向し、前記複数の像担持体のトナー像が転写される転写面を有する無端状のベルト部材と、前記転写面に対向し、前記転写面に転写されたトナー像の濃度を検知可能な第１検知手段と、前記第１検知手段の検知結果を前記ベルト部材の１周分に亘るプロファイルとして記憶する記憶手段と、前記ベルト部材の周方向の位置である周方向位置を示す複数の位置マークと、前記ベルト部材に対向し、前記位置マークを検知可能な第２検知手段と、前記第２検知手段の検知結果に基づいて前記ベルト部材の前記周方向位置を算出する算出手段と、前記記憶手段が記憶した前記プロファイル、及び、前記算出手段が算出した前記周方向位置に基づいて、前記複数の像担持体に形成するトナー像の条件を変更する変更手段と、を備え、前記位置マークの各々の形状が、前記ベルト部材の幅方向の寸法が互いに異なることによって前記周方向位置の各々で互いに異なり、前記ベルト部材の前記周方向位置が識別可能であることを特徴とする。
【手続補正３】
【補正対象書類名】明細書
【補正対象項目名】００１３
【補正方法】変更
【補正の内容】
【００１３】
【図１】本発明の実施例１に係る画像形成装置の構成を示す断面図である。
【図２】画像形成部の構成を示す図１の拡大断面図である。
【図３】光学センサの構成を示す断面図等である。
【図４】中間転写ベルトの周方向に延びる白地シールの形状を示す概略図等である。
【図５】実施例２に係る中間転写ベルトの白地シールの形状を示す概略図等である。
【図６】参考例に係る中間転写ベルトの白地シールの形状を示す概略図等である。
【手続補正４】
【補正対象書類名】明細書
【補正対象項目名】００５９
【補正方法】変更
【補正の内容】
【００５９】
図６（ａ）は、参考例に係る中間転写ベルト５１の白地シール３３２の形状を示す概略図である。参考例の画像形成装置の説明にあたっては、参考例の画像形成装置の構成のうち実施例１の画像形成装置１００と同一の構成及び効果に関しては、同一の符号を用いて説明を適宜省略する。参考例の画像形成装置が実施例１の画像形成装置１００と異なる点は、以下の点である。すなわち、参考例の画像形成装置では、白地シール３３２ａ〜３３２ｃにおける中間転写ベルト５１の幅方向に延びる単位図形Ｋの数が互いに異なることによって、白地シール３３２ａ〜３３２ｃを構成する単位図形Ｋの数が互いに異なる点である。詳しくは、『位置マーク』である『ベルト位置検出マーク』としての白地シール３３２の１つ目の形状が、感光体ドラム１の軸方向に帯状に延びる１本の長方形の単位図形Ｋの第１パターンである白地シール３３２ａで形成される。２つ目の形状が、中間転写ベルト５１の幅方向に帯状に延びる２本の長方形の単位図形Ｋの第２パターンである白地シール３３２ｂで形成される。３つ目の形状が、中間転写ベルト５１の幅方向に伸びる３本の長方形の単位図形Ｋの第３パターンである白地シール３３２ｃで形成される。このような３種類の白地シール３３２ａ〜３３２ｃでは、白地シール３３２ａ〜３３２ｃを構成する単位図形Ｋの数が、周方向位置の各々で互いに異なり、中間転写ベルト５１の周方向位置が識別可能である。これにより、参考例の画像形成装置では、これらの単位図形Ｋの３３２ａ〜３３２ｃの形状から、中間転写ベルト５１の位置を導出する。
【手続補正５】
【補正対象書類名】明細書
【補正対象項目名】００６４
【補正方法】変更
【補正の内容】
【００６４】
参考例の構成によれば、複数の白地シール３３２ａ〜３３２ｃの各々が、白地シール３３２ａ〜３３２ｃを構成する単位図形Ｋの数が周方向位置の各々で異なるもので形成されて、形状が互いに異なるから、中間転写ベルト５１の周方向位置の識別性が向上する。